(57)【要約】【課題】本発明は、小型の送風装置を用いて効率の高い送風路を配設し、冷却性能の向上と共に小型化および省スペース化を図った信頼性の高い誘導加熱調理器を提供すること。【解決手段】誘導加熱調理器は、トッププレートを上面に保持する筐体の内部に収納され、トッププレートの裏面側に設けられた加熱コイルユニット（８）と、加熱コイルユニットを支持する内部筐体（１９）と、内部筐体の内部に配設され、内部筐体の内部の発熱部品および放熱部品を冷却する第１冷却ファン（１０）と、内部筐体の上部に配設され、第１冷却ファンから吹き出された冷却風を直接的に吸気して加熱コイルユニットを冷却する冷却風を形成する第２冷却ファン（１１）と、第２冷却ファンから吹き出された冷却風を流速を高めて加熱コイルユニットに案内する送風ガイドと、を備える。【選択図】図３
2018045913.tif 000002
【特許請求の範囲】
【請求項１】
被加熱物を載置するトッププレート、
前記トッププレートを上面に保持する筐体、
前記筐体の内部に収納され、前記トッププレートの裏面側に設けられた加熱コイルユニット、
前記加熱コイルユニットを支持する内部筐体、
前記内部筐体の内部に配設され、前記内部筐体の内部の発熱部品および放熱部品を冷却する第１冷却ファン、
前記内部筐体の上部に配設され、前記第１冷却ファンから吹き出された冷却風を直接的に吸気して前記加熱コイルユニットを冷却する冷却風を形成する第２冷却ファン、および
前記第２冷却ファンから吹き出された冷却風を流速を高めて前記加熱コイルユニットに案内する送風ガイド、
を備える誘導加熱調理器。
【請求項２】
前記第１冷却ファンおよび前記第２冷却ファンの少なくとも一部が上下に重なった２段構成であり、前記第１冷却ファンの送風口の直上に前記第２冷却ファンの吸入口が配置された、請求項１に記載の誘導加熱調理器。
【請求項３】
前記第１冷却ファンおよび前記第２冷却ファンの少なくとも一部が上下に重なった２段構成であり、前記第１冷却ファンの送風口と前記第２冷却ファンの吸入口との間に吸入量を規制する吸入規制開口が形成された、請求項１に記載の誘導加熱調理器。
【請求項４】
前記第１冷却ファンおよび前記第２冷却ファンの少なくとも一部が上下に重なった２段構成であり、前記第１冷却ファンの送風口と前記第２冷却ファンの吸入口との間に形成された、吸入量を規制する吸入規制開口を形成して、前記第２冷却ファンの吸入口の吸入面積の２０％以上５０％以下の範囲内で吸入規制された、請求項１に記載の誘導加熱調理器。
【請求項５】
前記第２冷却ファンは、前記第１冷却ファンに比べて小型で送風能力が低い仕様を有する、請求項１から４のいずれか一項に記載の誘導加熱調理器。
【請求項６】
前記送風ガイドの送風路において、送風方向に直交する吸入側開口面積に対して吹出側開口面積が半分以下に構成された、請求項１から５のいずれか一項に記載の誘導加熱調理器。
【請求項７】
前記内部筐体が、上側内部筐体および下側内部筐体を備えており、前記下側内部筐体の内部の前面側に設けた前記第１冷却ファンからの冷却風により、前記下側内部筐体の内部の発熱部品および放熱部品を冷却し、前記上側内部筐体と前記下側内部筐体との間の背面側の隙間を通して冷却風が排気されるように構成された、請求項１から６のいずれか一項に記載の誘導加熱調理器。
【請求項８】
前記第１冷却ファンの送風口に仕切板を設けて、前記内部筐体の発熱部品および放熱部品における放熱量に応じて前記第１冷却ファンの送風口からの冷却風を振り分けると共に、
前記仕切板の直上に前記吸入規制開口を配置して、前記第１冷却ファンからの振り分けられた冷却風を所望の配分で前記吸入規制開口を通して前記第２冷却ファンが吸気するよう構成された、請求項３に記載の誘導加熱調理器。
【発明の詳細な説明】
【技術分野】
【０００１】
本発明は、一般家庭用または業務用として使用される誘導加熱調理器に関し、特に、誘導加熱調理器における発熱および放熱部分に対する冷却機構に関するものである。
【背景技術】
【０００２】
誘導加熱調理器は、誘導加熱のための加熱コイルと、加熱コイルに高周波電流を供給するインバータ回路、インバータ回路を駆動する駆動部、制御部および電源部などの電界回路を有して構成されている。誘導加熱調理器の内部においては、インバータ回路、駆動部、制御部および電源部などを有する回路基板などに様々な電子部品が実装されている。
【０００３】
誘導加熱においては、被加熱物である調理容器などの材質による被透磁率や抵抗率により加熱効率が異なっている。このため、誘導加熱調理器においては、相対的に熱効率の低い条件下では熱損失が増大し、その分、加熱コイル等の部品からの熱量が増大する。
【０００４】
また、誘導加熱調理器の内部に設けた回路基板上の電子部品の中には、例えばＩＧＢＴやダイオードブリッジのような動作時において発熱量が極めて大きい電子部品や、比較的発熱量が小さいコンデンサなどの電子部品が混在する。発熱量が大きい電子部品にはヒートシンクを取り付け、当該電子部品に対する冷却効果を高めている。
【０００５】
従って、上記のように大きな熱量を発生させる加熱コイルおよび電子部品に対しては、誘導加熱調理器の内部に設けた送風装置からの冷却風により強制的に冷却して、正常に動作するように図られている。
【０００６】
従来の誘導加熱調理器においては、発熱する加熱コイルおよび電子部品を確実に冷却するために、風量の多い大型の送風装置を用いて、送風装置からの冷却風を加熱コイルおよび電子部品の発熱および放熱部分に対して効率高く当てるための各種構成が提案されている（例えば、特許文献１および２参照）。
【先行技術文献】
【特許文献】
【０００７】
【特許文献１】実開昭６２−１３６０９１号公報
【特許文献２】特開２００６−１４７３０３号公報
【発明の概要】
【発明が解決しようとする課題】
【０００８】
誘導加熱調理器は、投入電力から見て熱変換効率が高く、調理温度管理が容易であり、輻射熱の発生が少なく、且つ安全性および清掃容易性において優れているため、他の調理器具より優位な点を多く有している。このため、誘導加熱調理器としては、加熱調理器具として多くの場所で用いられており、用いられる場所に応じて、例えばビルトイン型、据え置き型、卓上型等の多くの形式が提供されている。また、業務用の誘導加熱調理器においては、厨房カウンターの上に置くカウンター形式、厨房カウンターの中に組み込む埋め込み形式等があり、長時間の使用に耐えるように構成されている。
【０００９】
上記のように誘導加熱調理器においては、用途に応じて各種形式があり、いずれの形式においても、加熱コイルおよび電子部品に対して送風装置からの冷却風を効率高く当てて冷却する構成されている。しかしながら、ビルトイン型、据え置き型、卓上型等のいずれの形式の誘導加熱調理器においても、小型化および省スペース化を図る目的で装置の外観寸法が縮小されてきているため、装置内部において大きなスペースを占める送風装置および冷却風の送風路を可能な限り小さくすることが望まれている。特に、キッチンカウンターの上に置く卓上型や、厨房カウンターの上に置くカウンター形式の誘導加熱調理器においては、小型化および省スペース化が特に重要な課題であり、小型の送風装置を用いて効率高く発熱部分を冷却することができる構成が求められている。
【００１０】
本発明は、小型の送風装置を用いて効率の高い送風路を配設し、冷却性能の向上と共に小型化および省スペース化を図った信頼性の高い誘導加熱調理器を提供することを目的とする。
【課題を解決するための手段】
【００１１】
本発明の誘導加熱調理器は、
被加熱物を載置するトッププレートと、
前記トッププレートを上面に保持する筐体と、
前記筐体の内部に収納され、前記トッププレートの裏面側に設けられた加熱コイルユニットと、
前記加熱コイルユニットを支持する内部筐体と、
前記内部筐体の内部に配設され、前記内部筐体の内部の発熱部品および放熱部品を冷却する第１冷却ファンと、
前記内部筐体の上部に配設され、前記第１冷却ファンから吹き出された冷却風を直接的に吸気して前記加熱コイルユニットを冷却する冷却風を形成する第２冷却ファンと、
前記第２冷却ファンから吹き出された冷却風を流速を高めて前記加熱コイルユニットに案内する送風ガイドと、を備える。
【発明の効果】
【００１２】
本発明によれば、小型の送風装置および送風ガイドを用いて効率の高い送風路を形成することができ、冷却性能の向上と共に小型化および省スペース化を図った信頼性の高い誘導加熱調理器を提供することができる。
【図面の簡単な説明】
【００１３】
【図１】本発明に係る実施の形態１の誘導加熱調理器の全体を示す斜視図
【図２】実施の形態１の誘導加熱調理器の平面図
【図３】実施の形態１の誘導加熱調理器の筐体内部の構成を示す縦断面図
【図４】実施の形態１の誘導加熱調理器の筐体の内部構成を示す斜視図
【図５】図４に示した実施の形態１の誘導加熱調理器の平面図
【図６】図５に示した実施の形態１の誘導加熱調理器をVI−VI線により切断した断面
【図７】実施の形態１の誘導加熱調理器の筐体の内部の上カバーを取り除いた状態を示す斜視図
【図８】実施の形態１の誘導加熱調理器の送風ガイドを示す斜視図
【図９】実施の形態１の誘導加熱調理器の送風ガイドの裏面を示す斜視図
【図１０】実施の形態１の誘導加熱調理器の送風ガイドを各方向から見た図
【図１１】実施の形態１の誘導加熱調理器における冷却風の流れを示す断面図
【図１２】図１１に示した誘導加熱調理器における背面側を拡大して示した断面図
【発明を実施するための形態】
【００１４】
本発明に係る第１の態様の誘導加熱調理器は、
被加熱物を載置するトッププレート、
前記トッププレートを上面に保持する筐体、
前記筐体の内部に収納され、前記トッププレートの裏面側に設けられた加熱コイルユニット、
前記加熱コイルユニットを支持する内部筐体、
前記内部筐体の内部に配設され、前記内部筐体の内部の発熱部品および放熱部品を冷却する第１冷却ファン、
前記内部筐体の上部に配設され、前記第１冷却ファンから吹き出された冷却風を直接的に吸気して前記加熱コイルユニットを冷却する冷却風を形成する第２冷却ファン、および
前記第２冷却ファンから吹き出された冷却風を流速を高めて前記加熱コイルユニットに案内する送風ガイド、を備えてもよい。
【００１５】
本発明に係る第２の態様の誘導加熱調理器は、前記の第１の態様において、前記第１冷却ファンおよび前記第２冷却ファンの少なくとも一部が上下に重なった２段構成であり、前記第１冷却ファンの送風口の直上に前記第２冷却ファンの吸入口を配置してもよい。
【００１６】
本発明に係る第３の態様の誘導加熱調理器は、前記の第１の態様において、前記第１冷却ファンおよび前記第２冷却ファンの少なくとも一部が上下に重なった２段構成であり、前記第１冷却ファンの送風口と前記第２冷却ファンの吸入口との間に吸入量を規制する吸入規制開口が形成されてもよい。
【００１７】
本発明に係る第４の態様の誘導加熱調理器は、前記の第１の態様において、前記第１冷却ファンおよび前記第２冷却ファンの少なくとも一部が上下に重なった２段構成であり、前記第１冷却ファンの送風口と前記第２冷却ファンの吸入口との間に形成された、吸入量を規制する吸入規制開口を形成して、前記第２冷却ファンの吸入口の吸入面積の２０％以上５０％以下の範囲内で吸入規制してもよい。
【００１８】
本発明に係る第５の態様の誘導加熱調理器は、前記の第１から４の態様のいずれかの態様において、前記第２冷却ファンが、前記第１冷却ファンに比べて小型で送風能力が低い仕様を有してもよい。
【００１９】
本発明に係る第６の態様の誘導加熱調理器は、前記の第１から５の態様のいずれかの態様における前記送風ガイドの送風路において、送風方向に直交する吸入側開口面積に対して吹出側開口面積が半分以下に構成されてもよい。
【００２０】
本発明に係る第７の態様の誘導加熱調理器は、前記の第１から６の態様のいずれかの態様において、前記内部筐体が、上側内部筐体および下側内部筐体を備えており、前記下側内部筐体の内部の前面側に設けた前記第１冷却ファンからの冷却風により、前記下側内部筐体の内部の発熱部品および放熱部品を冷却し、前記上側内部筐体と前記下側内部筐体との間の背面側の隙間を通して冷却風が排気されるように構成されてもよい。
【００２１】
本発明に係る第８の態様の誘導加熱調理器は、前記の第３の態様において、前記第１冷却ファンの送風口に仕切板を設けて、前記内部筐体の発熱部品および放熱部品における放熱量に応じて前記第１冷却ファンの送風口からの冷却風を振り分けると共に、
前記仕切板の直上に前記吸入規制開口を配置して、前記第１冷却ファンからの振り分けられた冷却風を所望の配分で前記吸入規制開口を通して前記第２冷却ファンが吸気するよう構成されてもよい。
【００２２】
以下、本発明に係る誘導加熱調理器を示す実施の形態について、適宜図面を参照しながら詳細に説明する。なお、以下の実施の形態の誘導加熱調理器においては、業務用の厨房カウンターの上に置くカウンター形式の誘導加熱調理器ついて説明するが、この構成は例示であり、本発明は、以下の実施の形態において説明する構成に限定されるものではなく、本発明の技術的特徴を有する他の形式の誘導加熱調理器を含むものである。なお、実施の形態の説明において、左右方向は当該誘導加熱調理器を使用する使用者から見た方向を示しており、当該誘導加熱調理器の使用者側が前側（正面側）であり、使用者側の反対側を後側（背面側）である。また、実施の形態における左または右とは、誘導加熱調理器の正面側から見て左側または右側を示す。
【００２３】
《実施の形態１》
図１は、本発明に係る実施の形態１の誘導加熱調理器の全体を示す斜視図である。図２は、実施の形態１の誘導加熱調理器の平面図である。
【００２４】
図１および図２に示すように、実施の形態１の誘導加熱調理器は、厨房カウンター等の上に置くカウンター形式の業務用の誘導加熱調理器１である。実施の形態１の誘導加熱調理器１は、前面側に斜行した面を有し上面側が開口した箱形状の筐体３と、筐体３の上面側の開口部分を密閉するように設けられた四角形のトッププレート２とにより外観形状が構成されている。筐体３の上面側は、トッププレート２と共に平坦面に形成されている。トッププレート２は、透磁性を有し、熱伝導率が低く、耐熱性のガラスプレートまたはセラミックプレートで構成されている。トッププレート２には、被加熱物である調理容器（鍋）等が載置される加熱位置を表示するサークルパターンが描かれている。また、トッププレート２には、被加熱物の温度を検出するための温度センサ（例えば、赤外線センサ）のための検出窓１４が形成されている。
【００２５】
誘導加熱調理器１における前面側の斜面には当該誘導加熱調理器１に対する火力設定、時間設定等の各種設定を行うための操作部４が配設されている。誘導加熱調理器１における筐体３の底面には複数の吸気孔１２（図３参照）が設けられており、厨房カウンター等の上に置いたときに底面側に吸気空間を確保するため、複数（実施の形態１においては底面の四隅の４本）の足５が突設されている。また、誘導加熱調理器１の背面側には複数の排気孔１３（図３参照）が設けられており、筐体３の背面側に排気空間を確保するために、筐体３の背面上部には背面スペーサ７が突設されている。なお、実施の形態１の誘導加熱調理器１においては、背面側の排気孔１３からの排気が底面側の吸気孔１２に直線的に吸い込まれないように、誘導加熱調理器１の底面には吸気孔１２の吸気空間と排気孔１３の排気空間とを底面側で分離するように吸排分離プレート６が突設されている（図３参照）。
【００２６】
図３は、実施の形態１の誘導加熱調理器１の筐体内部の構成を示す縦断面図であり、図２に示した誘導加熱調理器１をIII−III線により切断した断面を示している。筐体３の内部には、加熱コイル９を有する加熱コイルユニット８、加熱コイル９に高周波電流を供給するインバータ回路１５、インバータ回路１５を駆動する駆動部１６、そして図３には示されていないが駆動部１６に電源を供給する電源部１７（後述の図７参照）、駆動部１６を制御する制御部１８（後述の図７参照）などの各種構成部品が配設されている。また、実施の形態１の誘導加熱調理器１の内部においては、インバータ回路１５、駆動部１６および電源部１７などにおける発熱および放熱部品を効率高く冷却するために、送風装置として複数の小型の冷却ファン（１０，１１）が２段構成で設けられている。
【００２７】
図４は、実施の形態１の誘導加熱調理器１の筐体３の内部構成を示す斜視図であり、トッププレート２および筐体３を取り除いた状態を示している。図５は、図４に示した状態の平面図である。図６は、図５に示した状態の誘導加熱調理器１をVI−VI線により切断した断面を示している。
【００２８】
図４に示すように、筐体３の内部においては、インバータ回路１５、駆動部１６、電源部１７および制御部１８などの構成部品が内部筐体１９の内部に配設されている。内部筐体１９は、上側内部筐体である上カバー２０ａと、下側内部筐体である下カバー２０ｂとにより構成されている。従って、インバータ回路１５、駆動部１６、電源部１７および制御部１８などの構成部品が、下側内部筐体である下カバー２０ｂの内部に配設されており、下カバー２０ｂを覆うように上側内部筐体である上カバー２０ａが設けられている。なお、送風装置からの冷却風が筐体３の背面側に流れるように、上カバー２０ａの後端部（背面側端部）と下カバー２０ｂの後端部（背面側端部）との間には隙間が形成されている。この上カバー２０ａの後端部と下カバー２０ｂの後端部との間の隙間の構成については後述する。
【００２９】
上記のように、インバータ回路１５、駆動部１６、電源部１７および制御部１８などの構成部品を覆うように設けた上カバー２０ａの上には、加熱コイルユニット８が設けられている。加熱コイルユニット８は、被加熱物を誘導加熱する加熱コイル９、加熱コイル９の上側に配設されて被加熱物からの熱を遮る遮熱板、加熱コイル９の下面側に設けられた電気絶縁性を有する絶縁板、絶縁板の下に設けられ磁束吸収効果の高い高透磁率のフェライト等をシールド板上に積み上げて、一つのユニットとして一体化したものである。このように一体化された加熱コイルユニット８は、弾性部材、例えばバネにより筐体３の内部に設けられた上カバー２０ａに支持されており、トッププレート２の裏面に当接するよう構成されている。
【００３０】
図４に示すように、筐体３における底板２１には下カバー２０ｂが固定されており、その下カバー２０ｂ内にインバータ回路１５、駆動部１６、電源部１７および制御部１８の電子部品などの構成部品が設けられている。また、下カバー２０ｂにおける前面側には２台の送風装置である冷却ファンである第１冷却ファン１０（右側第１ファン１０ａ、左側第１ファン１０ｂ）が設けられている。従って、筐体３の底板２１における前方側に複数の吸気孔１２が形成されており、２台の第１冷却ファン１０により底面側の吸気孔１２から吸い込み背面側の排気孔１３から吹き出す構成である。第１冷却ファン１０は薄側のシロッコファンで構成されており、筐体３における前面側（操作部４）の斜面の下に配置される構成である。なお、実施の形態１においては、２台の第１冷却ファン１０（１０ａ、１０ｂ）を用いた構成で説明するが、第１冷却ファン１０の個数は誘導加熱調理器１の仕様、当該冷却ファンの冷却能力などに応じて適宜決定される。
【００３１】
また、実施の形態１の誘導加熱調理器１においては、内部筐体１９の上カバー２０ａの上に送風装置である冷却ファンである第２冷却ファン１１が設けられている。図４から図６に示すように、第２冷却ファン１１は、第１冷却ファン１０（右側第１ファン１０ａ）の上側に一部が上下に重なるようにすらして配設されており、第１冷却ファン１０（右側第１ファン１０ａ）の送風口２６の直上に第２冷却ファン１１の吸入口２７が配設されている。従って、右側第１ファン１０ａから吹き出された冷却風の一部が、直接、第２冷却ファン１１の吸入口２７に吸い込まれるように構成されている。第２冷却ファン１１は、薄側のシロッコファンで構成されており、第１冷却ファン１０より小型であり、送風能力が低い仕様である。
【００３２】
上記のように、実施の形態１の誘導加熱調理器１においては、送風装置である冷却ファンが上下２段に配置された構成であり、下段にある第１冷却ファン１０からの冷却風が、下段に配置された下カバー２０ｂ内のインバータ回路１５、駆動部１６、電源部１７等の発熱部品および放熱部品を冷却する構成であり、更に第１冷却ファン１０からの冷却風の一部を直接的に吸い込んだ上段の第２冷却ファン１１からの冷却風が上カバー２０ａの上部に配設された加熱コイルユニット８等を冷却する構成である。
【００３３】
図７は、筐体３の内部において、内部筐体１９の上カバー２０ａを取り除いた状態を示す斜視図であり、下カバー２０ｂ内に配置された構成部品を示している。図７に示すように、下カバー２０ｂの前面側には２台の薄型の第１冷却ファン１０（右側第１ファン１０ａ、左側第１ファン１０ｂ）が並設されており、冷却風を背面側に向かって吹き出すよう構成されている。第１冷却ファン１０の背面側には、インバータ回路１５、インバータ回路１５の背面側に駆動部１６が配設されており、インバータ回路１５の右横に電源部１７および制御部１８が前後方向に並設されている。
【００３４】
上記のように内部筐体１９の下カバー２０ｂの内部にインバータ回路１５、駆動部１６、電源部１７および制御部１８が並設されており、第１冷却ファン１０からの冷却風が構成部品の発熱部分および放熱部分を効率高く冷却できるように配置されている。更に、実施の形態１の構成においては、上カバー２０ａの上に設けた加熱コイルユニット８からの電磁波の影響を防止するために、上カバー２０ａには、例えばフェライトで構成された磁束吸収部材２４が敷き詰められている（図４参照）。実施の形態１の構成においては、電磁波の影響を受けやすい電源部１７の上部に磁束吸収部材２４が配設した構成を示すが、磁束吸収部材２４としては電磁波の影響を受けやすい部材の位置を考慮して配設される。
【００３５】
図７に示すように、右側第１ファン１０ａおよび左側第１ファン１０ｂのそれぞれの送風口２６（２６ａ、２６ｂ）には仕切板２５（２５ａ、２５ｂ）が設けられている。右側第１ファン１０ａの送風口２６ａに設けられた仕切板２５ａは、電源部１７が設けられた電源基板側と、インバータ回路１５が設けられたインバータ基板側とに冷却風を振り分ける機能を有する。仕切板２５ａによる振り分け比率としては当該誘導加熱調理器１の仕様、冷却ファンの仕様等に応じて決定されるが、基本的にインバータ基板側の冷却風が電源基板側の冷却風に比べて多く流れるように設定されている。
【００３６】
一方、左側第１ファン１０ｂの送風口２６ｂに設けられた仕切板２５ｂは、インバータ基板側の全体に均等に流れるように配設したものである。第１冷却ファン１０はシロッコファンで構成しているため、送風口から吹き出される冷却風の吹き出し方向がある程度一定方向に規定されている。このため、左側第１ファン１０ｂの送風口２６ｂに仕切板２５ｂを設けて冷却風を分散させ、インバータ基板側の全体に均等に流れるように構成されている。
【００３７】
実施の形態１の誘導加熱調理器１においては、前述のように、下段の第１冷却ファン１０（右側第１ファン１０ａ）からの冷却風の一部を上段の第２冷却ファン１１が吸い込む２段構成を有している。図６に示したように、右側第１ファン１０ａの送風口２６（２６ａ）の上方に上カバー２０ａに設けた第２冷却ファン１１の吸入口２７が配置されている。右側第１ファン１０ａの送風口２６と第２冷却ファン１１の吸入口２７との間には上カバー２０ａが配設されているが、その上カバー２０ａには第２冷却ファン１１が所定量の冷却風を吸気できるように吸入規制開口２８が設けられている（図６参照）。この吸入規制開口２８は、右側第１ファン１０ａから吹き出された冷却風の多くを取り込まないように絞り機能を有している。実施の形態１の誘導加熱調理器１においては、第２冷却ファン１１の吸入口２７の吸入面に対して２０％以上５０％以下の吸入面積となるように絞られている。実施の形態１における具体的な構成の一例としては、発明者の実験によれば、第１冷却ファン１０の出力（風量）が０．７〜１．０ｍ３／ｍｉｎである場合、第２冷却ファン１１の吸気面積を約４０％に絞ることにより第２冷却ファン１１による冷却能力として好ましい結果が得られた。なお、実施の形態１の構成においては、吸入規制開口２８の形状としては、細長い長方形の開口形状であり、長方形の吸入規制開口２８の開口面積が、第２冷却ファン１１の円形の吸入口２７に対して約４０％であった。
【００３８】
また、吸入規制開口２８は、右側第１ファン１０ａの送風口に設けた仕切板２５ａの直上に配置されており、仕切板２５ａが吸入規制開口２８から吸入する風量の振り分け機能を有している。実施の形態１において、吸入規制開口２８からの吸入量の仕切板２５ａによる振り分けとしては、インバータ基板側より電源基板側の方が大きく吸引するよう設定されている。このように設定する理由としては、右側第１ファン１０ａからインバータ基板側に吹き出された冷却風の多くが第２冷却ファン１１に吸入規制開口２８を通して取り込まれることを防止するためである。このように、吸入規制開口２８からの吸入量が仕切板２５ａにより振り分けられているため、右側第１ファン１０ａからインバータ基板側に吹き出された冷却風の風量が大きく減少することが抑制され、インバータ基板側に設けられた発熱部品および放熱部品を確実に冷却することができる。
【００３９】
上記のように、上カバー２０ａの吸入規制開口２８を通して第２冷却ファン１１に吸入された冷却風は、上カバー２０ａの上部に配設された加熱コイルユニット８等を効率高く冷却するために、送風ガイド２２が設けられている（図６参照）。図６に示すように、送風ガイド２２は、第２冷却ファン１１の送風口２９から加熱コイルユニット８の中央領域の直下まで冷却風を導く送風路２３を形成するものである。従って、第２冷却ファン１１からの冷却風が送風ガイド２２に案内されて加熱コイルユニット８の中央領域に吹き出されて、加熱コイル９等の発熱部分が冷却される。加熱コイル９等を冷却した後の冷却風は、トッププレート２の裏面に沿って背面側方に流れて、筐体３の背面側にある排気孔１３から装置後方に排気される。なお、排気孔１３は下方に排気するように形成されているため、排気孔１３からの排気方向は下向きとなる。
【００４０】
図８から図１０は、第２冷却ファン１１から加熱コイルユニット８の中央領域まで冷却風を案内する送風ガイド２２を示す図である。図８は送風ガイド２２を斜め上方から見た斜視図である。図９は送風ガイド２２の裏面を斜め下方から見た斜視図である。図１０は、送風ガイド２２を各方向から見た図であり、平面図（ａ）、正面図（ｂ）、左右方向に切断した断面図（ｃ）、および前後方向に切断した断面図（ｄ）である。なお、図１０の（ｃ）は図１０の（ａ）におけるＣ−Ｃ線により切断した断面図であり、図１０の（ｄ）は図１０の（ａ）におけるＤ−Ｄ線により切断した断面図である。
【００４１】
図８から図１０に示すように、送風ガイド２２は、上段の冷却ファンである第２冷却ファン１１を収納し、第２冷却ファン１１の送風口２９からの冷却風を後方に案内するファン収納部２２ａと、第２冷却ファン１１の送風口２９からの送風路を絞る絞り部２２ｂと、絞り部２２ｂからの冷却風を後方の加熱コイルユニット８に案内する案内部２２ｃと、加熱コイルユニット８の中央領域の直下に配置され、吹出口３０を形成する吹出部２２ｄとを有しており、これらの構成物が一体的に形成されている。なお、図８から図１０に示す送風ガイド２２の下方は開放状態であるが、送風ガイド２２は上カバー２０ａの上面に装着されるため、送風ガイド２２のガイド機能は上カバー２０ａの上面と一体となり果たされる。このため、送風ガイド２２の底面を構成する上カバー２０ａの上面においても、ガイド機能を有するように滑らかに構成され、流速が速くなるように絞られており、吹出口３０側が持ち上がった形状を有している。このため、送風ガイド２２を流れた冷却風が吹出口３０から上方側に吹き出す構成である。
【００４２】
上記のように構成された送風ガイド２２は、絞り部２２ｂにおいて送風路の送風方向に直交する断面が、第２冷却ファン１１の送風口２９に対して最終的に半分以下に絞られている。なお、実施の形態１の構成においては、送風ガイド２２の吸入側における送風方向に直交する断面（吸入側開口面積）と、吹出側（案内部２２ｃの最終端）における送風方向に直交する断面（吹出側開口面積）との比率は、５：２に設定されている。このように送風路を送風ガイド２２において半分以下に絞ることにより、送風ガイド２２における冷却風が流速が速くなった状態で吹出口３０に送り込まれる。この絞り部２２ｂの絞り比率は、当該誘導加熱調理器１の仕様、第１冷却ファン１０の能力、第２冷却ファン１１の能力を考慮して適宜設定されるが、少なくとも、送風ガイド２２により冷却風の流速を速くすることにより、小型の冷却ファンを用いた構成で加熱コイルユニット８に対する冷却効果を高めることが可能となる。
【００４３】
図１１は、実施の形態１の誘導加熱調理器１において、２段構成の小型の冷却機構を用いて発熱部分および放熱部分を効率高く冷却するための冷却風の流れを示す図である。図１１においては、前述の図４等に示したように、トッププレート２および筐体３が取り除かれた状態の縦断面を示している。図１２は、図１１に示した誘導加熱調理器１における背面側を拡大して示した断面図である。図１２に示すように、上カバー２０ａにおける背面側の下端縁部１９ａは、下カバー２０ｂにおける背面側の上端縁部１９ｂから背面側にずれた位置に配置されており、下カバー２０ｂの上端縁部１９ｂが、上カバー２０ａの下端縁部１９ａより上方の位置に配置されている。なお、上端縁部１９ｂと下端縁部１９ａとの隙間は、数ｍｍ（１ｍｍ〜５ｍｍ）に設定されており、電子部品等を冷却した後の冷却風が背面側に確実に排気される開口であると共に、誤って人の指が入り込まない隙間に形成されている。
【００４４】
実施の形態１の誘導加熱調理器１においては、図１１に示すように、下段に配設された第１冷却ファン１０が、筐体３の底板２１の前面側下方から外気を吸気し、下段に配置された下カバー２０ｂ内のインバータ回路１５、駆動部１６、電源部１７等の発熱部品および放熱部品を確実に冷却して、上カバー２０ａと下カバー２０ｂの背面側の隙間を通って筐体３の背面にある複数の排気孔１３から排気される。同時に、下段の第１冷却ファン１０と一部が重なるように上段に配設された第２冷却ファン１１は、第１冷却ファン１０の送風口２６から吹き出された直後の冷却風の一部を吸気する。下段の第１冷却ファン１０からの冷却風の一部を吸気した上段の第２冷却ファン１１は、上カバー２０ａの上面に配設された送風ガイド２２に冷却風を吹き出している。送風ガイド２２に吹き込まれた冷却風は、流速が速められて加熱コイルユニット８の直下の吹出部２２ｄに送り込まれる。送風ガイド２２の吹出部２２ｄの下面である上カバー２０ａの上面は持ち上がっており、冷却風が吹出口３０から上方側に吹き出されて加熱コイルユニット８等が冷却される。なお、加熱コイルユニット８等を冷却した冷却風は、トッププレート２の裏面に沿って背面側に流れて筐体３の排気孔１３から排気される。
【００４５】
上記のように、本発明の誘導加熱調理器においては、内部空間が制約されている小型装置においても、小型の送風装置を重なるように適切に配置すると共に、送風路および送風量を確保する送風ガイドを設けることにより、冷却性能の向上と小型化を達成したできる信頼性の高い加熱調理器となる。
【産業上の利用可能性】
【００４６】
本発明は、冷却性能を向上させると共に、小型化および省スペース化を達成した信頼性の高い誘導加熱調理器であるため、各種調理器具に適用することが可能となり、市場価値の高い装置となる。
【符号の説明】
【００４７】
１  誘導加熱調理器
２  トッププレート
３  筐体
４  操作部
５  足
６  吸排分離プレート
７  背面スペーサ
８  加熱コイルユニット
９  加熱コイル
１０  第１冷却ファン
１１  第２冷却ファン
１３  排気孔
１４  検出窓
１５  インバータ回路
１６  駆動部
１７  電源部
１８  制御部
１９  内部筐体
２０ａ  上カバー（上側内部筐体）
２０ｂ  下カバー（下側内部筐体）
２２  送風ガイド
２２ａ  ファン収納部
２２ｂ  絞り部
２２ｃ  案内部
２２ｄ  吹出部
２３  送風路
２５  仕切板
２８  吸入規制開口
３０  吹出口
【図１】
2018045913.tif 000003
【図２】
2018045913.tif 000004
【図３】
2018045913.tif 000005
【図４】
2018045913.tif 000006
【図５】
2018045913.tif 000007
【図６】
2018045913.tif 000008
【図７】
2018045913.tif 000009
【図８】
2018045913.tif 000010
【図９】
2018045913.tif 000011
【図１０】
2018045913.tif 000012
【図１１】
2018045913.tif 000013
【図１２】
2018045913.tif 000014